(57)【特許請求の範囲】
【請求項１】
長尺物が巻かれて形成された巻回体が収容される本体部であって、前記巻回体が収容された場合に前記巻回体の軸線が延びる方向である軸線方向に平行な開口面が形成された本体部と；
前記本体部に連接された蓋部であって、前記開口面を露出させた状態と前記開口面を閉塞した状態との間で移動可能な蓋部とを備え；
前記本体部は、前記開口面と交差する後板を有し；
前記蓋部は、前記後板の前記開口面と交わる辺である後板端辺に連接されて前記開口面を塞ぐ蓋板と、前記蓋板の前記後板端辺に対向する辺である折曲辺に連接された掩蓋片と、前記掩蓋片の前記折曲辺に対向する辺である先端辺に沿って前記掩蓋片に取り付けられた切断刃とを有し；
前記掩蓋片は、前記先端辺の前記軸線方向の長さが前記折曲辺の前記軸線方向の長さよりも短く形成されて、前記折曲辺と前記先端辺とに挟まれた部分の掩蓋片主部と、前記折曲辺と端突辺とに挟まれた部分の掩蓋片端部とを含み、前記軸線方向において２つの前記掩蓋片端部が前記掩蓋片主部を挟み、前記先端辺と前記各端突辺とは接続部に屈曲部を有しつつ連続して形成され、前記軸線方向に直交する方向における前記掩蓋片端部の平均長さが前記掩蓋片主部の前記掩蓋片端部に隣接する部分の長さよりも長く形成され；
前記切断刃は、前記掩蓋片を外側から見た場合に視認できる前記軸線方向の長さが、前記巻回体が前記本体部に収容されて前記巻回体から前記長尺物が引き出された場合の前記長尺物の前記軸線方向の距離である長尺物幅の９３％以上９９％以下に構成され、前記掩蓋片を外側から見た場合に視認できる前記軸線方向における前記切断刃の２つの端部は、前記各屈曲部に１つずつ位置する；
巻回体収容箱。
【発明の詳細な説明】
【技術分野】
【０００１】
本発明は巻回体収容箱に関し、特に長尺物が巻かれて形成された巻回体を収容する巻回体収容箱に関する。
【背景技術】
【０００２】
食品包装等に用いられるラップフィルムは、ロール状に巻かれた巻回体として、細長い直方体の収容箱に収容され、流通に置かれている。収容箱は、直方体状の一面が開口した本体部と、本体部の開口を開け閉めする蓋部とを備えている。蓋部は、本体部開口を塞ぐ蓋板と、蓋板に直交して連接されて本体部の前板の上部に重なる掩蓋片とを含んでいる。ロール状のラップフィルムは、本体部に収容されている。ラップフィルムを使用する際は、蓋部を開けてロールからラップフィルムを必要量引き出し、蓋部を閉めて、掩蓋片の先端に設けられた切断刃でラップフィルムを切断して使用する。ラップフィルムを切断する際は、ラップフィルムを必要量引き出して蓋部を閉めた収容箱の長手方向の中央部を一方の手で握り、他方の手で引き出されたラップフィルムの先端を摘み、ラップフィルムを切断刃の刃先（山）から根元（谷）に向けて相対的に引き上げるようにするのが一般的である（例えば、特許文献１参照。）。
【先行技術文献】
【特許文献】
【０００３】
【特許文献１】特開２０１３−０３９９５４号公報（段落００３０、００３２等）
【発明の概要】
【発明が解決しようとする課題】
【０００４】
ラップフィルムの切断の際に、切断刃の一端から他端に向けて切断刃がラップフィルムに接するように切断しようとする場合、引き出されたラップフィルムは、片方の手で摘まれた先端の側が使用者の体に近づくように傾いた状態となることがある。ラップフィルムの切断は、一般に、使用者の体に遠い方の端部から近い方の端部に向けて行われるため、引き出されたラップフィルムが傾いていると、切断刃に対するラップフィルムの切断の起点が定まらず、適切に切断できない場合があった。
【０００５】
本発明は上述の課題に鑑み、巻回体が収容されて引き出された長尺物が一端から他端に向けて切断される場合でも長尺物を適切に切断することができる巻回体収容箱を提供することを目的とする。
【課題を解決するための手段】
【０００６】
上記目的を達成するために、本発明の第１の態様に係る巻回体収容箱は、例えば図１に示すように、長尺物９１ｆが巻かれて形成された巻回体９１ｒが収容される本体部１０であって、巻回体９１ｒが収容された場合に巻回体９１ｒの軸線９１ａが延びる方向である軸線方向Ｄに平行な開口面１０ｈが形成された本体部１０と；本体部１０に連接された蓋部２０であって、開口面１０ｈを露出させた状態と開口面１０ｈを閉塞した状態との間で移動可能な蓋部２０とを備え；本体部１０は、開口面１０ｈと交差する後板１４を有し；蓋部２０は、後板１４の開口面１０ｈと交わる辺である後板端辺１８に連接されて開口面１０ｈを塞ぐ蓋板２１と、蓋板２１の後板端辺１８に対向する辺である折曲辺２１ｆに連接された掩蓋片２２と、掩蓋片２２の折曲辺２１ｆに対向する辺である先端辺２２ｔに沿って掩蓋片２２に取り付けられた切断刃２３とを有し；掩蓋片２２は、先端辺２２ｔの軸線方向Ｄの長さ２２ｔＷが折曲辺２１ｆの軸線方向Ｄの長さ２１ｆＷよりも短く形成されて、折曲辺２１ｆと先端辺２２ｔとに挟まれた部分の掩蓋片主部２２ｃと、折曲辺２１ｆと端突辺２２ｖとに挟まれた部分の掩蓋片端部２２ｅとを含み、先端辺２２ｔと端突辺２２ｖとは接続部に屈曲部２２ｐを有しつつ連続して形成され、軸線方向Ｄに直交する方向Ｈにおける掩蓋片端部２２ｅの平均長さが掩蓋片主部２２ｃの掩蓋片端部２２ｅに隣接する部分の長さよりも長く形成され；切断刃２３は、掩蓋片２２を外側から見た場合に視認できる軸線方向Ｄの長さが、巻回体９１ｒが本体部１０に収容されて巻回体９１ｒから長尺物９１ｆが引き出された場合の長尺物９１ｆの軸線方向Ｄの距離である長尺物幅９１ｆＷの９３％以上９９％以下に構成されている。
【０００７】
このように構成すると、本体部に巻回体が収容されて巻回体から引き出された長尺物を切断刃によって長尺物幅の端部から切断しようとした場合に、長尺物の長尺物幅の端部が屈曲部に集まって長尺物の切断の起点が逃げずに安定することとなり、長尺物を適切に切断することができる。
【発明の効果】
【０００８】
本発明によれば、本体部に巻回体が収容されて巻回体から引き出された長尺物を切断刃によって長尺物幅の端部から切断しようとした場合に、長尺物の長尺物幅の端部が屈曲部に集まって長尺物の切断の起点が逃げずに安定することとなり、長尺物を適切に切断することができる。
【図面の簡単な説明】
【０００９】
【図１】（Ａ）は本発明の実施の形態に係るラップカートンを含むラップ入りカートンの斜視図、（Ｂ）は本発明の実施の形態に係るラップカートンの正面図である。
【図２】本発明の実施の形態に係るラップカートンを構成する掩蓋片の屈曲点まわりの部分正面図である。
【発明を実施するための形態】
【００１０】
以下、図面を参照して本発明の実施の形態について説明する。なお、各図において互いに同一又は相当する部材には同一あるいは類似の符号を付し、重複した説明は省略する。
【００１１】
まず図１を参照して、本発明の実施の形態に係る巻回体収容箱としてのラップカートン１を説明する。図１（Ａ）はラップ入りカートン１００の正面斜視図、図１（Ｂ）はラップカートン１の正面図である。ラップ入りカートン１００は、ラップカートン１に巻回体としてのラップロール９１ｒが収容されたものであり、巻回体入り収容箱の一形態である。図１（Ａ）は、開蓋状態を示している。ラップロール９１ｒは、幅が均一な帯状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、薄膜状に形成されており、本実施の形態では、ポリ塩化ビニリデンを原料として厚さが５〜２０μｍに形成されている。ラップカートン１は、ラップロール９１ｒを収容する本体部１０と、本体部１０に連接された蓋部２０とを備えている。
【００１２】
本体部１０は、未使用のラップロール９１ｒを収容できる大きさの直方体に対して、細長い面の１つが開口面１０ｈとなっている箱である。本体部１０の大きさは、収容した未使用のラップロール９１ｒを軸線９１ａ回りに回転させるのを妨げない隙間が形成される一方で、できるだけ小さく形成されている。このように構成されていることで、本体部１０にラップロール９１ｒが収容されたときに、軸線９１ａが延びる方向（以下「軸線方向Ｄ」という。）へのラップロール９１ｒの移動が極力生じないようになっている。本体部１０は、本実施の形態では、長さ３１０ｍｍ、高さ４４ｍｍ、奥行き４４ｍｍの大きさに形成されている。本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。
【００１３】
蓋部２０は、本体部１０の開口面１０ｈを塞ぐ部材である。蓋部２０は、蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。蓋板２１が開口面１０ｈと略同じ大きさとは、蓋板２１が、掩蓋片２２の厚さ及び側蓋片２５の厚さの分開口面１０ｈよりも大きく、蓋部２０の開閉を妨げない隙間が形成される程度大きい場合を含むことを意味している。蓋板２１は、軸線方向Ｄに延びる一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００１４】
掩蓋片２２は、折曲辺２１ｆを介して蓋板２１と直交し、蓋部２０を閉じたときに底板１３に向かって延びるように設けられている。折曲辺２１ｆは、後板端辺１８に対向し、軸線方向Ｄに延びている、蓋板２１と掩蓋片２２との境界を形成する辺である。折曲辺２１ｆの軸線方向Ｄの長さである折曲辺長さ２１ｆＷは、矩形の蓋板２１の軸線方向Ｄの長さと同じになっている。掩蓋片２２は、蓋板２１に対して、軸線方向Ｄの全体で連接している。掩蓋片２２は、折曲辺２１ｆに対向する辺が、先端辺２２ｔと、この先端辺２２ｔの両端にある端突辺２２ｖとから構成されている。先端辺２２ｔの軸線方向Ｄの長さである先端辺長さ２２ｔＷは、折曲辺長さ２１ｆＷよりも短く形成されている。また、先端辺長さ２２ｔＷは、本実施の形態では、本体部１０に収容されたラップロール９１ｒから引き出されたラップフィルム９１ｆの幅であるラップフィルム幅９１ｆＷよりも短く形成されている。なお、ラップフィルム幅９１ｆＷは、引き出されたラップフィルム９１ｆの軸線方向Ｄの距離であり、巻き方向に直交する方向の距離に等しい。先端辺２２ｔの両端にある端突辺２２ｖは、先端辺２２ｔと連続している。先端辺２２ｔと端突辺２２ｖとの接続部は、屈曲部としての屈曲点２２ｐとなっている。説明の便宜上、屈曲点２２ｐを通り、折曲辺２１ｆに直交する仮想直線で、掩蓋片２２を３分割したとき、折曲辺２１ｆと先端辺２２ｔとで挟まれた部分を掩蓋片主部２２ｃといい、折曲辺２１ｆと端突辺２２ｖとで挟まれた部分を掩蓋片端部２２ｅということとする。
【００１５】
掩蓋片主部２２ｃは、軸線方向Ｄの両端における高さ（長方形の前板１２の短辺方向の長さ）が、前板１２の短辺方向の長さの約１／２で、軸線方向Ｄの中央部の高さが、前板１２の短辺方向の長さの約３／４となっている。先端辺２２ｔは、軸線方向Ｄにおける中央からそれぞれの端部に移動するに連れて、軸線方向Ｄに直交する方向における折曲辺２１ｆと先端辺２２ｔとの距離が短くなるように形成されている。この構成により、軸線方向Ｄの中央部における先端辺２２ｔが、蓋部２０を閉じたときに、底板１３側に突出するように形成されている。このような構成により、先端辺２２ｔが概ねＶ字状に形成されることとなる。掩蓋片２２は、蓋部２０が閉じられたときに、前板１２に沿って前板１２の外側に重なり、前板１２の上部を概ね五角形状に覆うこととなる。掩蓋片２２は、軸線方向Ｄの長さが前板１２よりもわずかに長く構成されており、本体部１０に収容されているラップ９１の幅よりも長い。これにより、掩蓋片２２は、本体部１０の中から引き出されたラップフィルム９１ｆを、その幅全体にわたって、前板１２との間に挟むことができるように構成されている。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状（二つ折りの折れ線状）に設けられている。
【００１６】
ここで図２を参照して、掩蓋片２２の屈曲点２２ｐまわりを詳説する。図２は、掩蓋片２２の屈曲点２２ｐまわりの部分正面図である。端突辺２２ｖは、本実施の形態では直線状に形成されている。端突辺２２ｖは、軸線方向Ｄに屈曲点２２ｐから離れるに連れて、掩蓋片２２の面に沿った軸線方向Ｄに直交する方向（以下「高さ方向Ｈ」という。）における折曲辺２１ｆと端突辺２２ｖとの距離が長くなるように形成されている。換言すれば、掩蓋片端部２２ｅは、高さ方向Ｈにおける長さが、掩蓋片主部２２ｃの側から軸線方向Ｄに遠ざかるに連れて単調増加するように形成されている。掩蓋片端部２２ｅを横切るように先端辺２２ｔを延長した仮想線Ｅｔと、端突辺２２ｖとのなす角αは、鋭角であり、１５°以上が好ましく、３０°以上がより好ましい。角αを大きくするほど、高さ方向Ｈにおける掩蓋片端部２２ｅの平均長さを大きくすることができる。また、掩蓋片２２の軸線方向Ｄ端部の高さ方向Ｈにおける仮想線Ｅｔと端突辺２２ｖとの距離Ｂは、３ｍｍ以上が好ましく、５ｍｍ以上がより好ましい。上述のような構成により、掩蓋片端部２２ｅの高さ方向Ｈにおける平均長さが、掩蓋片主部２２ｃの掩蓋片端部２２ｅに隣接する部分における高さ方向Ｈの長さよりも、長く形成されることとなる。掩蓋片端部２２ｅの高さ方向Ｈにおける長さが長くなることで、蓋部２０の強度を向上させることができる。
【００１７】
再び図１を主に参照して、ラップカートン１の構成の説明を続ける。切断刃２３は、前述のように、掩蓋片２２の先端辺２２ｔに沿って刃先が先端辺２２ｔから出るように設けられている。図１（Ｂ）から分かるように、切断刃２３は、掩蓋片端部２２ｅが高さ方向Ｈに長く形成されていることにより、正面視（掩蓋片２２を正面外側から見た場合）において、視認できる軸線方向Ｄの長さが、先端辺長さ２２ｔＷと概ね等しくなっている。切断刃２３は、正面視において視認できる軸線方向Ｄの長さが、ラップフィルム幅９１ｆＷの９３％以上９９％以下に構成されており、ラップフィルム幅９１ｆＷの９５％以上９８％以下が好ましく、９６％以上９７％以下がより好ましい。蓋部２０の側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。
【００１８】
引き続き図１及び図２を参照して、ラップ入りカートン１００の作用を説明する。ラップカートン１の作用は、ラップ入りカートン１００の作用の一環として説明する。ラップ入りカートン１００は、ラップカートン１の本体部１０の中にラップロール９１ｒが入っている。ラップフィルム９１ｆを使用する際は、蓋部２０を開け、ラップロール９１ｒからラップフィルム９１ｆを必要な長さ分引き出して切断刃２３で切断する。このとき、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の軸線方向Ｄ中央を引き出されたラップフィルム９１ｆに食い込ませるようにラップ入りカートン１００を軸線９１ａまわりにひねると、ラッピングする食器等にラップフィルム９１ｆを付けた状態でも切断しやすく、好適である。
【００１９】
上述のように、ラップフィルム幅９１ｆＷの中央部に、Ｖ字状の先端に相当する切断刃２３の部分を食い込ませて、ラップフィルム９１ｆをその幅の中央から両端に向けて切断する際に、切断刃２３が二つ折りの折れ線状に形成されているので（中央から端にかけて直線状に形成されているので）、ラップフィルム９１ｆをその幅の端部まで円滑に切断することができる。なお、このようにラップフィルム９１ｆを切断する際、掩蓋片２２には、折曲辺２１ｆを回転軸線として先端辺２２ｔが前板１２から離れる方向の力が作用する。本実施の形態に係るラップカートン１は、掩蓋片端部２２ｅの高さ方向Ｈの平均長さが長くなっているので、ラップフィルム９１ｆの切断の際に、掩蓋片２２が前板１２から離れる方向の力が蓋部２０に作用しても、従来に比べて蓋部２０の歪みを抑制することができる。
【００２０】
ところで、ラップロール９１ｒから引き出したラップフィルム９１ｆを切断する際に、切断刃２３がＶ字状（二つ折りの折れ線状）であるか否かにかかわらず、ラップフィルム９１ｆに対して切断刃２３をその一端側から他端側に順次当てて切断する者もいる。この場合、通常は、引き出されたラップフィルム９１ｆが使用者の体の側に近づくように傾いた状態となるので、従来のラップフィルム幅９１ｆＷを越えて掩蓋片の末端まで延びた切断刃が設けられた収容箱の場合は、ラップフィルム９１ｆの切断の起点が定まらず、適切に切断できない場合があった。本実施の形態では、先端辺長さ２２ｔＷ、及び正面視で視認できる切断刃２３の軸線方向Ｄの長さが、ラップフィルム幅９１ｆＷの９３％以上９９％以下に形成されているので、引き出されたラップフィルム９１ｆの幅の端部が、屈曲点２２ｐに集まるように寄せられて、屈曲点２２ｐに集まった部分が切断の起点となり、切断刃２３によるラップフィルム９１ｆの最初の突き破りが容易になり、一端側から他端側に切断する場合でも適切に切断することができる。また、ラップフィルム９１ｆが、ラップフィルム幅９１ｆＷの一端側から他端側に切断される際、通常は、使用者の体から遠い方のラップフィルム９１ｆの端部を上に引き上げようとするため、引き上げようとするラップフィルム９１ｆに当該端部の掩蓋片２２が持ち上げられ、掩蓋片２２が歪むような力が作用することとなるが、本実施の形態では、掩蓋片端部２２ｅの高さ方向Ｈの平均長さが長くなっているので、ラップフィルム９１ｆを切断する際の蓋部２０の歪みを抑制することができる。
【００２１】
以上で説明したように、本実施の形態に係るラップカートン１によれば、ラップロール９１ｒから引き出されたラップフィルム９１ｆが一端から他端に向けて切断される場合でも、正面視で視認できる切断刃２３の軸線方向Ｄの長さがラップフィルム幅９１ｆＷの９３％以上９９％以下に形成されているので、引き出されたラップフィルム９１ｆの幅の端部が屈曲点２２ｐに集まってここが起点となり、適切に切断することができる。
【００２２】
以上の説明では、端突辺２２ｖが、直線状に形成されているとしたが、曲線状に形成されていてもよく、折れ線状に形成されていてもよい。端突辺２２ｖを直線状以外に形成した場合も、蓋部２０の強度の低下を抑制する観点から、掩蓋片端部２２ｅの高さ方向Ｈにおける長さが、掩蓋片主部２２ｃの側から軸線方向Ｄに遠ざかるに連れて単調増加するように形成されていることが好ましい。端突辺２２ｖが曲線状に形成された場合、角αは、端突辺２２ｖを直線近似したものと、仮想線Ｅｔと、のなす角とするとよい。端突辺２２ｖを折れ線状にした例として、当初は屈曲点２２ｐから離れるに連れて折曲辺２１ｆから離れるようにし、途中から折曲辺２１ｆに対して平行になるように形成することが挙げられる。このようにすると、角αを大きくしつつ（例えば６０°〜８０°であって７０°でもよい）、掩蓋片端部２２ｅの高さ方向Ｈにおける最大長さを、蓋部２０の開閉に支障のない長さ等に任意に決定することができる。
【００２３】
以上の説明では、屈曲部が屈曲点２２ｐであるとしたが、屈曲部が屈曲した線（以下「屈曲線」という。）であってもよい。つまり、先端辺２２ｔと端突辺２２ｖとの境界部分が、折れ線ではなく、弧状であってもよい。屈曲部を屈曲線とした場合、その曲率は、ラップロール９１ｒから引き出されたラップフィルム９１ｆが一端から他端に向けて切断される場合に引き出されたラップフィルム９１ｆの幅の端部が屈曲線に集まるように決定され、通常は先端辺２２ｔ及び端突辺２２ｖの曲率よりも大きくなる。また、屈曲部を屈曲線とした場合、掩蓋片主部２２ｃと掩蓋片端部２２ｅとの境界となる高さ方向Ｈに延びる仮想直線は、先端辺２２ｔを延長した仮想線Ｅｔと、端突辺２２ｖを直線近似したものとの交点を通るように設定するとよい。
【００２４】
以上の説明では、切断刃２３がＶ字状（二つ折りの折れ線状）であるとしたが、いわゆる平刃と呼称される直線状でもよい。この場合、掩蓋片２２の先端辺２２ｔは、直線状（典型的には折曲辺２１ｆに平行な直線状）となる。掩蓋片端部２２ｅの高さ方向Ｈの長さを長くすることは、掩蓋片端部２２ｅの高さ方向Ｈの長さが短くなりがちなＶ字状の切断刃２３が用いられる場合に特に有用であるが、切断刃２３が直線状の場合に適用しても、蓋部２０の補強に資することとなり有用である。特に、直線状の切断刃２３が用いられつつ、掩蓋片２２の高さ方向Ｈの長さが軸線方向Ｄ全体にわたって比較的短く形成されている場合は、掩蓋片端部２２ｅの高さ方向Ｈの長さを長くすることが有用である。なお、切断刃２３が直線状に形成されている場合は、引き出されたラップフィルム９１ｆを切断する際、一般に、ラップフィルム９１ｆの幅の一端から他端に向けてラップフィルム９１ｆが切断されることとなる。この場合、上述のように、引き出されたラップフィルム９１ｆの幅の端部が屈曲部に集まってここが起点となり、ラップフィルム９１ｆを適切に切断することができる。なお、切断刃２３は、Ｖ字状（二つ折りの折れ線状）や平刃の他に、軸線方向Ｄの中央部がＶ字状（二つ折りの折れ線状）に形成されつつその外側が軸線方向Ｄに平行に形成してもよい。切断刃２３の形状がいずれの場合も、ラップフィルム９１ｆをその幅の一端から他端に向けて切断する場合に、先端辺２２ｔと端突辺２２ｖとの接続部に屈曲部を有し、掩蓋片端部２２ｅの高さ方向Ｈの長さが長く形成されていると、引き出されたラップフィルム９１ｆの幅の端部が屈曲部に集まってここが起点となり適切に切断することができると共に、蓋部２０が歪みにくくなるため、カット性が向上する。
【００２５】
以上の説明では、長尺物がラップフィルム９１ｆであるとしたが、アルミホイルやクッキングシート等、ラップフィルム以外のものであってもよい。
【符号の説明】
【００２６】
１    ラップカートン
１０  本体部
１０ｈ  開口面
１４  後板
１８  後板端辺
２０  蓋部
２１  蓋板
２１ｆ  折曲辺
２１ｆＷ  折曲辺長さ
２２  掩蓋片
２２ｃ  掩蓋片主部
２２ｅ  掩蓋片端部
２２ｔ  先端辺
２２ｔＷ  先端辺長さ
２２ｐ  屈曲点
２２ｖ  端突辺
２３  切断刃
９１ａ  軸線
９１ｆ  ラップフィルム
９１ｆＷ  ラップフィルム幅
９１ｒ  ラップロール
Ｄ    軸線方向
Ｈ    高さ方向
【図１】
0006537896.tif 000002
【図２】
0006537896.tif 000003